(57)【要約】  本発明は、網目交差点において２本の材料ロープが交わる四辺形の網目を有する網に関するものであって、その網では（ａ）各材料ロープ（Ａ；Ｂ）は、少なくとも２本の個別ロープ（Ａ１，Ａ２又はＢ１，Ｂ２）から構成され、（ｂ）各材料ロープ（Ａ又はＢ）の少なくとも１本の個別ロープ（Ａ１又はＢ１）は、その延びる方向を変えることなく交差点を通過するのに対して、（ｃ）各材料ロープ（Ａ又はＢ）の少なくとも１本の個別ロープ（Ａ２又はＢ２）は、前記交差点の領域でその延びる方向を曲折されて、他方の材料ロープ（Ｂ又はＡ）の、前記交差点においてその延びる方向が変化しなかった個別ロープ（Ｂ１又はＡ１）に組み合わされる。
2016526617.tif 000002
【特許請求の範囲】
【請求項１】
各網目交差点において２本の材料ロープが互いに交わる四辺形の網目を有する網であって：
（ａ）各材料ロープ（Ａ；Ｂ）は、少なくとも２本の個別ロープ（Ａ１，Ａ２又はＢ１，Ｂ２）から構成され；
（ｂ）各材料ロープ（Ａ又はＢ）の少なくとも１本の個別ロープ（Ａ１又はＢ１）は、その延びる方向を変えることなく前記交差点を通過するのに対して；
（ｃ）各材料ロープ（Ａ又はＢ）の少なくとも１本の個別ロープ（Ａ２又はＢ２）は、前記交差点の領域でその延びる方向を曲折されて、他方の材料ロープ（Ｂ又はＡ）の、前記交差点においてその延びる方向が変化しなかった前記個別ロープ（Ｂ１又はＡ１）に組み合わされる；
ことを特徴とする網。
【請求項２】
第１の交差点を曲折されることなく通って延びる各個別ロープ（Ａ１又はＢ１）は、次の交差点の領域で曲折されるとともに、第１の交差点の領域で曲折された他の個別ロープ（Ｂ２又はＡ２）に出会うことを特徴とする、請求項１に記載の網。
【請求項３】
菱型の網目によって特徴づけられる、請求項１又は２に記載の網。
【請求項４】
無負荷状態にあるとき、対向して位置する交差点からの領域にある前記材料ロープ（Ａ，Ｂ）は１５度〜９０度の角度で互いに交わることを特徴とする、請求項１〜３のいずれか一項に記載の網。
【請求項５】
前記材料ロープ（Ａ，Ｂ）が３０度〜７０度の角度で互いに交わることを特徴とする、請求項４に記載の網。
【請求項６】
各個別ロープ（Ａ１，Ａ２；Ｂ１，Ｂ２）が、特に、撚られたか、編組されたか、捩じられたか、又は広範囲で平行に組み合わされた、複数の個別の糸から構成されることを特徴とする、請求項１〜５のいずれか一項に記載の網。
【請求項７】
網目交差点で互いに交わる材料ロープ（Ａ又はＢ）から構成される、請求項１〜６のいずれか一項に記載の網であって、前記材料ロープが繊維材料を含むことを特徴とする、網。
【請求項８】
前記個別ロープ（Ａ１，Ａ２；Ｂ１，Ｂ２）が繊維材料を含むことを特徴とする、請求項１〜６のいずれか一項に記載の網。
【請求項９】
前記個別ロープ（Ａ１，Ａ２；Ｂ１，Ｂ２）が合成繊維及び／又は天然繊維を含むことを特徴とする、請求項１〜８のいずれか一項に記載の網。
【請求項１０】
前記個別ロープ（Ａ１，Ａ２；Ｂ１，Ｂ２）が無機繊維、特に玄武岩繊維を含むことを特徴とする、請求項１〜９のいずれか一項に記載の網。
【請求項１１】
前記個別ロープ（Ａ１，Ａ２；Ｂ１，Ｂ２）が、特に鋼又はアルミニウム製のワイヤ、ワイヤの束、ワイヤ撚り線、ワイヤロープを含むことを特徴とする、請求項１〜１０のいずれか一項に記載の網。
【請求項１２】
前記材料ロープ（Ａ，Ｂ）が、撚られるか、編組されるか、又は広範囲で互いに平行に組み合わされていることを特徴とする、請求項１〜１１のいずれか一項に記載の網。
【請求項１３】
各材料ロープ（Ａ，Ｂ）が、撚られるか、編組されるか、又は広範囲で互いに平行に組み合わされるかした複数の個別ロープ（Ａ１，Ａ２；Ｂ１，Ｂ２）から構成されていることを特徴とする、請求項１〜１２のいずれか一項に記載の網。
【請求項１４】
合成繊維及び／又は天然繊維、及び無機繊維、及び／又は特に鋼又はアルミニウムの個別のワイヤのグループの異なる材料から作られた線条を含む個別ロープ（Ａ１，Ａ２；Ｂ１，Ｂ２）を含むことを特徴とする、請求項１〜１３のいずれか一項に記載の網。
【発明の詳細な説明】
【技術分野】
【０００１】
本発明は、四辺形の網目を有する編組みされた網に関するものであり、そこでは、２本の材料ロープが網目交差点において互いに交わる。そのような網は、とりわけ、漁網として、包囲網として、運搬用安全網として、野蛮行為に対する防護網として、及び特に、傾斜及び岩石落下に対する保護網として、並びに岩石落下及び同様の自然災害に対する防護手段として、多様な観点で使用され得る。
【背景技術】
【０００２】
編組みされた網の場合、獲得可能な耐力に関して、並びに材料ロープの耐破壊破損性に関して、編組構造は使用材料の材料特性とともに極めて重要である。最大耐力は、理想的状態にある個々の材料ロープが、極力偏りなく又はわずかな偏りだけで単一の網目交差点を通って延びるなら、達成される、これに対してロープの耐破壊破損性は、網目交差点内における材料ロープのわずかな偏り及び／又は曲げにともなって増大する。
【０００３】
欧州特許第０９７９２３９号明細書は、岩石防護のため又は地表面層の保護のための金網を記載している。その金網は、スチールコードへ撚り線加工された高張力鋼ワイヤから好適に構成されている。ワイヤの編組構造は、四辺形斜め構造の形にあり、その単一の網目はそれぞれ菱型である。個々のスチールコードは、約３０度の好適な高低角のもとで基本的にはジグザグに延びており、そのことは、個々のワイヤが網目交差点において互いに巻き付けられることに起因して、１２０度の範囲にある個々のワイヤの偏りを引き起こし、それは耐破壊破損性に関して基本的に有害である。
【０００４】
基本的に菱型の網目を有する独国特許第２３２７００５号明細書による金網では、２本のワイヤが約３０度の傾斜角で網目交差点を通って延びており、これらのワイヤの１つは、約１２０度の方向角で第２のワイヤに形成されたループを通って引っ張られ、それは、２４０度から２７０度の範囲に在る非常に有害な方向角を有する。四辺形金網は、それぞれ任意選択的で塑性変形可能な材料、特に光輝もしくは被覆の鋼又はアルミニウムから作られるだろう。
【０００５】
それぞれ岩石防護又は斜面保護の目的の、欧州特許第１６２８７９０号明細書による網又は保護網は、二つ以上の螺旋状に捩じられたか若しくは撚られた鋼線又は鋼撚り線を含むワイヤ束から形成された斜め網状体を有する。
【０００６】
螺旋状に捩じられたか又は撚られたワイヤは、矩形、特に菱型の網目が形成されるように互いに織り交ぜられ、前記菱型の網目の交差点では、少なくとも一本のワイヤが個々の矩形の網目の隣接する二辺を通って延びるように、少なくとも一本のワイヤが曲げられている。
【先行技術文献】
【特許文献】
【０００７】
【特許文献１】欧州特許第０９７９２３９号明細書
【特許文献２】独国特許第２３２７００５号明細書
【特許文献３】欧州特許第１６２８７９０号明細書
【発明の概要】
【発明が解決しようとする課題】
【０００８】
本発明の目的は、公知の網と比較して改善された特性を有する四辺形の網目を有する網を提供することである。
【課題を解決するための手段】
【０００９】
この課題を解決するために、各網目交差点において２本の材料ロープが交わる四辺形の網目を有する網が：
（ａ）各材料ロープは、少なくとも２本の個別ロープから構成され；
（ｂ）各材料ロープの少なくとも１本の個別ロープは、その延びる方向を変えることなく交差点を通過するのに対して；
（ｃ）各材料ロープの少なくとも１本の個別ロープは、前記交差点の領域でその延びる方向を曲折されて、他方の材料ロープの、前記交差点においてその延びる方向が変化しなかった前記個別ロープに組み合わされる；ことで特徴付けられる。
【００１０】
本発明による網は、欧州特許第１６２８７７０号明細書による斜め網状体とは、特に、各材料ロープの少なくとも１本の個別ロープがその延びる方向を変えることなく網目交差点を通って延びることにおいて異なっている。
【００１１】
材料ロープが、対向して位置する交差点からの領域で、一方では例えば６０度の角度αで、他方では例えば１２０度の角度βで、互いに交わる網において、少なくとも１本の個別ロープが通過延長ロープとして曲折することなく、つまり０度の傾向がある材料保護角度で交差点を通って延びるのに対して、少なくとも一つの別の個別ロープが約３０度の角度で曲折される。従って、一方では網の耐力が増大し、他方では材料ロープの破損及び破壊に対する高い抵抗力が獲得される。
【００１２】
本発明による網は、前述したとおり、安全及び保護のためばかりでなく広範囲の適用分野を有する。それは、それが高い弾性と高い寸法安定性を有することにおいて特徴づけられる。
【００１３】
本発明の好適な実施形態によると、その延びる方向を変化させることなく第１の交差点を通って延びる個別ロープは、各々の次の交差点の領域で曲折されるとともに、第１の交差点の領域で曲折された他の個別ロープと組み合わされることが特徴とされる。
【００１４】
各個別ロープは、特に、撚られたか、編組されたか、捩じられたか、又は広範囲で平行に組み合わされた、複数の個別の線条又は糸を好適に含む。
【００１５】
各材料ロープは、少なくとも２本の個別ロープを好適に含んでおり、前記個別ロープは好適には、撚られたか、編組されたか、捩じられたか、又は広範囲で平行に組み合わされたものである。
【００１６】
個別ロープ及び従って材料ロープは、繊維材料、合成繊維、天然繊維、無機繊維、特に玄武岩繊維、また適切な場合には、金属材料、特に鋼又はアルミニウム製の個別のワイヤから作られた線条を好適に含む。
【００１７】
本発明の基本デザインは図面を使って以下に説明される。
【図面の簡単な説明】
【００１８】
【図１】本発明による網の平面図である。
【図２】網目交差点の領域における図１の拡大詳細図である。
【発明を実施するための形態】
【００１９】
図２は、少なくとも２本の撚られたか又は捩じられた個々のロープＡ１，Ａ２，及びＢ１，Ｂ２をそれぞれ含む２本の材料ロープＡ及びＢを示している。
【００２０】
２本の個別ロープＡ１及びＢ１は、それらの延びる方向を変えることなく交差点Ｉを通って延びる。２本の個別ロープＡ２及びＢ２は、この交差点の領域で曲折されて、この交差点の後で、前記交差点を曲折することなく通って延びていた個別ロープＡ１及びＢ１と組み合わされる。
【００２１】
各材料ロープＡ及びＢは、好適には２本以上の個別ロープを含み、好適には、材料ロープの少なくとも１本の個別ロープは、それぞれの交差点を曲折することなく通って延びるのに対して、少なくとも１本の個別ロープは、この交差点の領域で曲折される。
【００２２】
無負荷状態で、材料ロープＡ及びＢは、対向して位置する交差点からの領域で１５度〜９０度、好適には３０度〜７０度の角度αで互いに交わる。
【００２３】
約６０度の角度αで各交差点の領域で互いに交わる材料ロープの場合、個別ロープの１つの傾斜角α／２は３０度の範囲にあり、そのことから、材料ロープ及び個別ロープの微小な且つ材料を保護する座屈応力という結果になる。
【００２４】
各材料ロープＡ及びＢは、個別ロープ及個別の糸を含むことができ、個別ロープ及び個別の糸は、繊維材料、合成繊維及び／又は天然繊維、特に玄武岩繊維のような無機繊維、金属、特に鋼又はアルミニウム製の個別のワイヤ、ワイヤ撚り線、ワイヤストランドを含むことができる。各個別ロープは、撚られたか、編組されたか、捩じられたか、又は広範囲で平行に組み合わされた、複数の線条及び／又は糸を含むことができる。
【００２５】
図１によると、交差点は、一方向において１３０ｍｍ〜１６０ｍｍ、好適には１４５ｍｍの互いの間隔“Ｘ”を有し、他方向において６０ｍｍ〜８０ｍｍ、好適には７０ｍｍの間隔“Ｙ”を有する。各々の個別ロープの平均径は、好適には２．５ｍｍ〜４ｍｍで、特に３ｍｍであるが、他の寸法も特別な使用条件によると可能である。
【００２６】
網の製造は、分岐編み機で実行され得る。
【００２７】
個別ロープ及び材料ロープ、即ち網は、仕上剤によって安定化され得る。熱可塑性樹脂が、網目交差点及び／又は網の端を安定化するために用いられてよい。
【図１】
2016526617.tif 000003
【図２】
2016526617.tif 000004
【国際調査報告】
2016526617.tif 000005
2016526617.tif 000006
2016526617.tif 000007
2016526617.tif 000008